(57)【特許請求の範囲】
【請求項１】
上下に隣接して設置される２つの建物ユニットの接合構造であって、各建物ユニットを設置した際に互いに連続される間仕切り壁が各建物ユニットに分割して配置されているとともに、一方の間仕切り壁に取り付けられた位置決めピンが他方の間仕切り壁に形成された位置決め穴に嵌合されて各間仕切り壁同士が位置合わせされ、
前記間仕切り壁は、建物ユニットの構造材に連結された支持フレームと、この支持フレームに取り付けられた壁パネルとで構成され、前記位置決めピンおよび位置決め穴は隣接する各間仕切り壁の支持フレームにそれぞれ設けられ、
前記下部の間仕切り壁の壁パネルは、枠組みされた骨組みと、その表面に貼られた表面材とで構成され、
前記上部の間仕切り壁の壁パネルは、枠組みされた骨組みと、その表面の上部側に貼られた表面材とで構成され、
前記各間仕切り壁の壁パネルの表面材間には、前記支持フレームおよび上部の間仕切り壁の壁パネルの下部側を被覆するジョイントパネルが取り付けられていることを特徴とする建物ユニットの接合構造。
【発明の詳細な説明】
【０００１】
【発明の属する技術分野】
本発明は、ユニット式建物を構成する建物ユニットの接合構造に関し、特に階段室や吹き抜け空間に設けられる間仕切り壁等の、隣接配置される建物ユニット間で連続して配置される連続配置物の接合構造に関する。
【０００２】
【背景技術】
工場生産された建物ユニットを現場で組み合わせて構成されるユニット式建物においては、現場での施工作業を軽減するため、間仕切り壁などの造作材等もできるだけ工場において建物ユニット内に取り付けるようにしている。
【０００３】
このため、上下階を結ぶ階段が設けられた階段室や吹き抜け空間を仕切る間仕切り壁等も各建物ユニットに分割して取り付けられていた。
そして、各間仕切り壁の建物ユニット内での取り付け位置を合わせておき、建設現場において、下階の建物ユニットの上に上階の建物ユニットを載置して隣接配置した際に、各建物ユニットに設けられた間仕切り壁が上下に連続するようにしていた。
【０００４】
【発明が解決しようとする課題】
しかしながら、特に廻り階段の中心部分に配置される間仕切り壁（腰壁）のように、一端側が建物ユニットの柱や梁に連結されていない間仕切り壁等では、その一端側の位置が各建物ユニットで僅かにずれ、各建物ユニットを上下方向に隣接配置した際に間仕切り壁が連続せず、段差が生じてしまうことがあった。
このため、各建物ユニットを設置後に、建設現場において、間仕切り壁が連続して段差が生じないように修正作業を行わなければならず、現場作業が増加し、施工期間も長くなるという問題があった。
【０００５】
本発明の目的は、各建物ユニットを隣接配置した際に、間仕切り壁等の連続配置物を確実に連続させることができ、かつ現場作業も軽減することができる建物ユニットの接合構造を提供することにある。
【０００６】
【課題を解決するための手段】
本発明は、図面を参照して説明すると、上下に隣接して設置される２つの建物ユニット１，２の接合構造であって、各建物ユニットを設置した際に互いに連続される間仕切り壁（１０，２０）が各建物ユニットに分割して配置されているとともに、一方の間仕切り壁（１０）に取り付けられた位置決めピン１３が他方の間仕切り壁（２０）に形成された位置決め穴２３に嵌合されて各間仕切り壁同士が位置合わせされ、前記間仕切り壁１０，２０は、建物ユニットの構造材４，５に連結された支持フレーム１１，２１と、この支持フレーム１１，２１に取り付けられた壁パネル１２，２２とで構成され、前記位置決めピン１３および位置決め穴２３は隣接する各間仕切り壁１０，２０の支持フレーム１１，２１にそれぞれ設けられ、前記下部の間仕切り壁１０の壁パネル１２は、枠組みされた骨組みと、その表面に貼られた表面材１２Ｂとで構成され、前記上部の間仕切り壁２０の壁パネル２２は、枠組みされた骨組み２２Ａと、その表面の上部側に貼られた表面材２２Ｂとで構成され、前記各間仕切り壁１０，２０の壁パネル１２，２２の表面材１２Ｂ間には、前記支持フレーム１１，１２および上部の間仕切り壁１０，２０の壁パネル２２の下部側を被覆するジョイントパネル３０が取り付けられていることを特徴とする。
【０００７】
本発明においては、間仕切り壁が設けられた建物ユニット１，２を隣接配置する際に、一方の間仕切り壁の位置決めピンを他方の間仕切り壁の位置決め穴に嵌合させる。これにより、廻り階段の腰壁などを形成する間仕切り壁を正確にかつ確実に連続できて段差の発生も防止でき、現場での修正作業も不要になり、現場作業を軽減することができる。
【０００８】
また、各建物ユニットは、通常、下階建物ユニット１の柱３上端面に設けられたガイドピンを上階建物ユニット２の柱３下端面のガイド穴に嵌合させて位置合わせを行う。このため、上階建物ユニットは下階建物ユニットの上方から載置されるため、上下方向に連続する間仕切り壁においても位置決めピンを位置決め穴に容易にかつ確実に嵌合することができる。
【００１０】
さらに、前記間仕切り壁は、建物ユニットの構造材４，５に連結された支持フレーム１１，２１と、この支持フレーム１１，２１に取り付けられた壁パネル１２，２２とで構成され、前記位置決めピン１３および位置決め穴２３は隣接する各間仕切り壁１０，２０の支持フレーム１１，２１にそれぞれ設けられているので、廻り階段６の腰壁のように、間仕切り壁の一端側が建物ユニットの柱や梁等の構造材に支持されていない場合でも、間仕切り壁が構造材に連結された支持フレームを備えているため、十分な支持強度が得られる。
さらに、間仕切り壁を連続させる際に、支持フレーム同士を連続させているので、各建物ユニットを隣接配置した際に、仮に支持フレーム同士が接触することがあっても、支持フレームは鋼材等で形成されているため、その破損を防止することもできる。
【００１１】
また、前記下部の間仕切り壁１０の壁パネル１２は、枠組みされた骨組みと、その表面に貼られた表面材１２Ｂとで構成され、前記上部の間仕切り壁２０の壁パネル２２は、枠組みされた骨組み２２Ａと、その表面の上部側に貼られた表面材２２Ｂとで構成され、前記各間仕切り壁１０，２０の壁パネル１２，２２の表面材１２Ｂ間にはジョイントパネル３０が取り付けられ、前記支持フレームおよび上部の間仕切り壁の壁パネルの下部側が被覆されている。すなわち、ジョイントパネル３０は、支持フレーム１１，２１だけではなく、壁パネル２２の下部側（露出した骨組み２２Ａ部分）も覆うように、高さ寸法が比較的大きく形成されているので、仮にジョイントパネル３０の下部が連続される壁パネル１２の表面材１２Ｂの位置（支持フレーム１１の位置）と、ジョイントパネル３０の上部が連続される壁パネル２２の表面材２２Ｂの位置（骨組み２１の位置）とがずれていたとしても、ジョイントパネル３０が緩やかに傾斜したり、わずかに撓むことでそのずれを吸収することができる。このため、各壁パネル１２，２２間にずれが生じてもそのずれが目立たず、間仕切り壁８の外観を向上することができる。
【００１２】
【発明の実施の形態】
以下に本発明の一実施形態を図面に基づいて説明する。
図１，２に示すように、上下に載置される下階建物ユニット１および上階建物ユニット２は、柱３、上梁４、下梁５をボックス状に組み合わせた骨組みを備えている。また、各ユニット１，２の一部には、廻り階段６が設けられた階段室７が形成されている。
【００１３】
階段室７において、廻り階段６の中心部分には、階段６の腰壁を形成する間仕切り壁８が形成されている。
この間仕切り壁８は、下階建物ユニット１に設けられた下部間仕切り壁１０と上階建物ユニット２に設けられた上部間仕切り壁２０とを上下に連続させて形成されている。
【００１４】
下部間仕切り壁１０は、図３にも示すように、チャンネル材からなる支持フレーム１１と、支持フレーム１１に取り付けられた壁パネル１２とで構成されている。
【００１５】
支持フレーム１１は、図２にも示すように、一端側は建物ユニット１の上梁４に接合されているが、他端側は廻り階段６部分に配置されて上梁４には接合されていない。この支持フレーム１１の他端側上面には、位置決めピン１３が取り付けられている。
壁パネル１２は、枠組みされた図示しない骨組みと、その表面に貼られた表面材１２Ｂとで構成されている。
【００１６】
また、上部間仕切り壁２０も、下部間仕切り壁１０と同様に、支持フレーム２１と、壁パネル２２とで構成されている。
支持フレーム２１も、一端側が建物ユニット２の下梁５に接合されているが、他端側は下梁５に接合されておらず、その他端側の下面には前記位置決めピン１３が嵌合される位置決め穴２３が形成されている。
【００１７】
また、壁パネル２２は、枠組みされた骨組み２２Ａと、その表面に貼られた表面材２２Ｂとで構成されている。ただし、表面材２２Ｂは、骨組み２２Ａの下部側には貼られておらず、骨組み２２Ａが露出されている。
【００１８】
そして、各間仕切り壁１０，２０の支持フレーム１１，２１および壁パネル２２の露出された骨組み２２Ａ部分には、ジョイントパネル３０が取り付けられて被覆されている。これにより、ジョイントパネル３０は、各壁パネル１２，２２の表面材１２Ｂ，２２Ｂに段差なく連続されている。
【００１９】
なお、下階建物ユニット１の柱３の上面には、図示しないガイドピンが取り付けられ、上階建物ユニット２の柱３の下面に形成されたガイド穴に嵌合されて各建物ユニット１，２同士を位置決めしている。
【００２０】
このような本実施形態においては、工場において各建物ユニット１，２を製造する際に、各間仕切り壁１０，２０もユニット１，２内に取り付けておく。
そして、各ユニット１，２を建設現場に搬送し、まず下階建物ユニット１を設置する。
【００２１】
次に、建物ユニット１の間仕切り壁１０の支持フレーム１１上面に位置決めピン１３を取り付ける。なお、この位置決めピン１３は、工場で予め取り付けておいてもよい。
【００２２】
そして、建物ユニット２をクレーン等で吊り上げ、建物ユニット１の上方から降ろして建物ユニット１上に載置する。この際、建物ユニット１の各柱３のガイドピンを建物ユニット２の柱３のガイド穴に嵌合するとともに、間仕切り壁１０の位置決めピン１３を間仕切り壁２０の位置決め穴２３に嵌合する。
【００２３】
さらに、各間仕切り壁１０，２０の連続部分にジョイントパネル３０を取り付けて表面仕上げ作業を行い、階段室７の間仕切り壁８を形成する。
【００２４】
このような本実施形態によれば、次のような効果がある。
すなわち、間仕切り壁１０，２０を連続させて間仕切り壁８を形成する際に、間仕切り壁１０の位置決めピン１３を間仕切り壁２０の位置決め穴２３に嵌合させているので、各間仕切り壁１０，２０同士がずれることを防止でき、各壁１０，２０を正確に位置決めして連続させることができる。
これにより、廻り階段６の腰壁用の間仕切り壁８のように、一端側が建物ユニット１，２の梁４、５に連結されておらず、位置精度が低下しやすい連続配置物であっても、位置決めピン１３によって正確に位置合わせすることができ、従来のように、設置後に各間仕切り壁１０，２０を位置合わせするための修正作業を行う必要もなくなり、現場作業を軽減することができる。
【００２５】
また、間仕切り壁１０，２０を位置合わせする位置決めピン１３、位置決め穴２３は、下階建物ユニット１上に上階建物ユニット２を載置することで自動的に嵌合されるので、通常の建物ユニット１，２の設置作業を行うだけでよく、余分な作業が増えることもないので、作業性を向上することができる。
【００２６】
さらに、各間仕切り壁１０，２０は、チャンネル材からなる支持フレーム１１，２１を備えているため、一端側がユニット１，２の梁４，５に連結されていなくても十分な支持強度を確保することができる。その上、各建物ユニット１，２を搬送する際や、建設現場において載置する際に、各フレーム１１，２１がガイドになって壁パネル１２，２２の破損を防止することもできる。
【００２７】
また、各壁パネル１２，２２間にジョイントパネル３０を取り付けているので、支持フレーム１１，２１を確実に被覆でき、仕上がりを良好にすることができる。
その上、ジョイントパネル３０は、支持フレーム１１，２１だけではなく、壁パネル２２の下部側（露出した骨組み２２Ａ部分）も覆うように、高さ寸法が比較的大きく形成されているので、仮にジョイントパネル３０の下部が連続される壁パネル１２の表面材１２Ｂの位置（支持フレーム１１の位置）と、ジョイントパネル３０の上部が連続される壁パネル２２の表面材２２Ｂの位置（骨組み２１の位置）とがずれていたとしても、ジョイントパネル３０が緩やかに傾斜したり、わずかに撓むことでそのずれを吸収することができる。このため、各壁パネル１２，２２間にずれが生じてもそのずれが目立たず、間仕切り壁８の外観を向上することができる。
【００２８】
なお、本発明は前述の実施形態に限定されるものではなく、本発明の目的を達成できる範囲での変形、改良等は本発明に含まれるものである。
すなわち、連続配置される間仕切り壁としては、前記実施形態のものに限らず、図４，５に示すように、平行配置された２本の支持フレーム４１，５１およびそのフレーム４１，５１間を連結する直交支持フレーム４２，５２とを備えた幅広の間仕切り壁４０，５０を用いてもよい。
【００２９】
このような幅広の間仕切り壁４０，５０を用いる場合には、間仕切り壁４０の各フレーム４１に位置決めピン４３を立設し、間仕切り壁５０の各フレーム５１の位置決め穴５３に嵌合させればよい。このように、各フレーム４１，５１毎に位置決めすれば、幅寸法が大きな間仕切り壁４０，５０においても、各壁４０，５０を正確に位置合わせして連続させることができる。
【００３０】
また、本発明は、階段室や吹き抜け空間等に設けられる上下方向に連続する間仕切り壁に限らず、たとえば、複数の建物ユニットに跨って形成される大広間等を区画するために左右方向に隣接配置される建物ユニット内に設けられた間仕切り壁同士を連続させる場合にも適用することができる。すなわち、一方の間仕切り壁の側面に位置決めピンを取付け、他方の間仕切り壁の側面に位置決め穴を形成して各ユニットを隣接配置した際に位置決めピンを位置決め穴に嵌合して各間仕切り壁を位置合わせすればよい。
【００３１】
さらに、本発明の連続配置物としては、間仕切り壁に限らず、例えば、エレベータのガイドレール等でもよい。要するに、本発明は、上下あるいは左右に隣接配置される各建物ユニットに分割配置された各種の連続配置物を連続させる際に広く適用することができる。
なお、上下の各ユニットにそれぞれエレベータ用のガイドレールを設けた場合、これらのガイドレールの一方に位置決めピンを立設し、他方に位置決め穴を形成して、ガイドレール相互を位置合わせして連結すればよい。
【００３２】
また、位置決めピン、位置決め穴は、前記実施形態のような形状、構造のものに限らず、例えば、角柱状の位置決めピン等でもよく、分割された各連続配置物同士を位置合わせできるものであればよい。
【００３３】
【発明の効果】
本発明によれば、各建物ユニットを隣接配置した際に、間仕切り壁等の連続配置物を確実に連続させることができ、かつ現場作業も軽減することができる。
【図面の簡単な説明】
【図１】本発明の一実施形態の建物ユニットを示す斜視図である。
【図２】前記実施形態の下階建物ユニットを示す上面図である。
【図３】前記実施形態の間仕切り壁の接合構造を示す分解斜視図である。
【図４】本発明の変形例の下階建物ユニットを示す上面図である。
【図５】前記変形例の間仕切り壁の接合構造を示す分解斜視図である。
【符号の説明】
１  下階建物ユニット
２  上階建物ユニット
６  廻り階段
７  階段室
８  間仕切り壁
１０，４０  下部間仕切り壁
２０，５０  上部間仕切り壁
１１，２１，４１，５１  支持フレーム
１２，２２  壁パネル
１３，４３  位置決めピン
２３，５３  位置決め穴
３０  ジョイントパネル
【図１】
0003717249.tif 000002
【図２】
0003717249.tif 000003
【図３】
0003717249.tif 000004
【図４】
0003717249.tif 000005
【図５】
0003717249.tif 000006